(57)【特許請求の範囲】
【請求項１】
電波の送受信を行うアンテナと、
前記アンテナに接続され、当該アンテナにより送受信される前記電波に基づいて通信処理を行う複数の無線装置と、を備え、
複数の異なる通信事業者毎に、前記無線装置が設定されており、
前記アンテナは、看板の内部に設けられており、
前記看板は、当該看板内に配置されている発光装置と、光透過性を有する看板面部と、を有しており、
前記アンテナは、複数のアンテナモジュールを含んでおり、
複数の前記アンテナモジュールのそれぞれは、前記看板における前記看板面部側から見て、前記看板の左右方向の両端部、及び／又は、前記看板の上下方向の両端部において、前記発光装置を挟む位置に配置されている、無線基地局構造。
【請求項２】
前記アンテナは、複数の前記無線装置に対応して複数設けられており、
複数の前記無線装置のそれぞれに各前記アンテナが接続されている、請求項１に記載の無線基地局構造。
【請求項３】
前記無線装置は、前記アンテナと共に前記看板に設けられている、請求項１又は２に記載の無線基地局構造。
【請求項４】
前記無線装置に接続される終端装置と、
前記無線装置及び前記終端装置に電力を供給する電源と、を備える、請求項１〜３のいずれか一項に記載の無線基地局構造。
【請求項５】
複数の前記アンテナモジュールのそれぞれは、前記電波の放射方向が前記看板の中央部を向くように配置されている、請求項１〜４のいずれか一項に記載の無線基地局構造。
【請求項６】
複数の前記アンテナモジュールのそれぞれは、アンテナ素子を収容するケースを有し、
前記ケースは、透明な材料で形成されている、請求項１〜５のいずれか一項に記載の無線基地局構造。
【請求項７】
前記アンテナは、金属により筐体が構成された前記看板に配置されている、請求項１〜６のいずれか一項に記載の無線基地局構造。
【発明の詳細な説明】
【技術分野】
【０００１】
本発明は、無線基地局構造に関する。
【背景技術】
【０００２】
近年、スマートフォン等の移動通信端末の普及に伴い、通信のデータ量が増加している。データ量が増加すると、通信速度が低下するため、通信事業者においては、更なる改善が求められている。このような状況を鑑みて、通信事業者に対して、新たな周波数帯域（例えば、３．５ＧＨｚ帯）が割り当てられ、通信品質の向上が期待されている（例えば、非特許文献１参照）。
【先行技術文献】
【非特許文献】
【０００３】
【非特許文献１】“第４世代移動通信システムの導入のための特定基地局の開設計画の認定”、［online］、平成２６年１２月１９日、総務省、［平成27年4月15日検索］、インターネット<http://www.soumu.go.jp/menu_news/s-news/01kiban14_02000214.html>
【発明の概要】
【発明が解決しようとする課題】
【０００４】
移動通信端末を使用するユーザが集中する場所では、データの通信量も多くなるため、ネットワーク全体の通信速度が低下してしまうことがある。これにより、通信が不安定になったり、通信ができなくなったりするおそれがある。そのため、ユーザが多く集まる場所には、多くの無線基地局が設置されることが好ましい。しかしながら、ユーザが多く集まる場所は、建物等も多く存在している。そのため、基地局を設置する場所を確保することは容易ではない。また、通信事業者は複数存在しているため、通信事業者毎に基地局を設置しようとすると、基地局を設置するスペースが更に必要となる。また、スペースを確保できたとしても、塔等の設備を設置するためには膨大な費用が必要となる。そのため、特定のエリアに複数の基地局を設置する構想の実現は容易ではない。
【０００５】
本発明は、複数の通信事業者に対応できると共に、省スペース化及び低コスト化を図ることができる無線基地局構造を提供することを目的とする。
【課題を解決するための手段】
【０００６】
本発明に係る無線基地局構造は、電波の送受信を行うアンテナと、アンテナに接続され、当該アンテナにより送受信される電波に基づいて通信処理を行う複数の無線装置と、を備え、複数の異なる通信事業者毎に、無線装置が設定されており、アンテナは、看板に設けられている。
【０００７】
この無線基地局構造では、アンテナが看板に設けられている。看板は、駅前や繁華街等、ユーザが集中する場所に設けられている場合が多い。したがって、基地局を設置するための設備（塔）等を設ける場合に比べて、省スペース化及び低コスト化を図れる。また、無線基地局構造では、複数の異なる通信事業者毎に、無線装置が設定されている。すなわち、使用する周波数帯の異なる通信事業者毎に、各周波数帯域に対応して無線装置がそれぞれ設定されている。これにより、複数の通信事業者に対応することができる。このように、無線基地局構造では、１つの無線基地局構造を複数の通信事業者でシェアする構成のため、通信事業者毎に無線基地局を設置する場合に比べてコストの低減を図ることができる。
【０００８】
一実施形態においては、アンテナは、複数の無線装置に対応して複数設けられており、複数の無線装置のそれぞれに各アンテナが接続されていてもよい。この構成によれば、通信事業者毎にアンテナを使用できるため、より良好な通信が可能となる。
【０００９】
一実施形態においては、無線装置は、アンテナと共に看板に設けられていてもよい。この構成では、アンテナ及び無線装置が看板に設けられるため、アンテナと無線装置とを接続する配線の取り回し等が容易となる。したがって、無線基地局構造の設置をより簡易にできる。
【００１０】
一実施形態においては、無線装置に接続される終端装置と、無線装置及び終端装置に電力を供給する電源と、を備えていてもよい。
【００１１】
一実施形態においては、アンテナは、看板の内部に配置されていてもよい。この構成では、看板の本来の広告機能及び看板の意匠性を損なうことなく、アンテナを取り付けることができる。また、アンテナの劣化を抑制できる。
【００１２】
一実施形態においては、看板内には発光装置が配置されており、アンテナは、看板における発光面側から見て、発光装置と重ならない位置に配置されていてもよい。この構成では、発光装置から照射された光をアンテナが遮ることを抑制できる。したがって、看板の一部が暗くなることを抑制し、看板本来の機能を維持しつつ、アンテナを配置できる。
【００１３】
一実施形態においては、アンテナは、複数のアンテナモジュールを含んでおり、複数のアンテナモジュールのそれぞれは、看板の左右方向の両端部、及び／又は、看板の上下方向の両端部において、発光装置を挟む位置に配置されていてもよい。この構成では、発光層を間に挟む位置にアンテナが配置されるため、発光装置から照射された光をアンテナが遮ることを確実に抑制できる。
【００１４】
一実施形態においては、複数のアンテナモジュールのそれぞれは、電波の放射方向が看板の中央部を向くように配置されていてもよい。この構成では、看板の前方の領域に、ストリートセルを好適に形成できる。
【００１５】
一実施形態においては、複数のアンテナモジュールのそれぞれは、アンテナ素子を収容するケースを有し、ケースは、透明な材料で形成されていてもよい。この構成では、ケースが光を透過するため、看板の一部が暗くなることをより一層抑制できる。
【００１６】
一実施形態においては、アンテナは、金属により筐体が構成された看板に配置されていてもよい。この構成では、筐体が電波の反射板として機能する。そのため、アンテナから送信される電波の指向性をより一層高めることができる。
【発明の効果】
【００１７】
本発明によれば、複数の通信事業者に対応できると共に、省スペース化及び低コスト化を図ることができる。
【図面の簡単な説明】
【００１８】
【図１】一実施形態に係る無線基地局構造を含む通信システムを示す図である。
【図２】無線基地局構造のアンテナが取り付けられた看板が設けられた建物を示す図である。
【図３】無線基地局の構成を示す図である。
【図４】アンテナが取り付けられた看板の内部を示す図である。
【図５】他の形態に係る無線基地局構造を示す図である。
【図６】他の形態に係る無線基地局構造のアンテナが取り付けられた看板を示す図である。
【図７】他の形態に係る無線基地局構造のアンテナが取り付けられた看板を示す図である。
【図８】他の形態に係る無線基地局構造のアンテナが取り付けられた看板を示す図である。
【図９】他の形態に係る無線基地局構造のアンテナが取り付けられた看板を示す図である。
【発明を実施するための形態】
【００１９】
以下、添付図面を参照して、本発明の好適な実施形態について詳細に説明する。なお、図面の説明において同一又は相当要素には同一符号を付し、重複する説明は省略する。
【００２０】
図１は、一実施形態に係る無線基地局構造を含む通信システムを示す図である。図１に示されるように、通信システムでは、無線基地局構造１は、ＧＣ（Group Unit Center）局１００に接続されている。ＧＣ局１００には、複数の無線機制御装置（例えば、ＢＢＵ：Base Band Unit）１２０が設けられている。無線機制御装置１２０は、通信事業者毎に設けられている。無線基地局は、無線機制御装置１２０と互いに通信可能に接続されている。ＧＣ局１００の無線機制御装置１２０のそれぞれは、ネットワークＮＷに接続されている。
【００２１】
図２は、無線基地局構造のアンテナが取り付けられた看板が設けられた建物を示す図である。図３は、無線基地局の構成を示す図である。無線基地局構造１は、看板５０が設けられた建物Ｂに設置される。無線基地局構造１は、携帯電話機等の移動通信端末との通信を行う。図３に示されるように、無線基地局構造１は、終端装置３と、電源５と、複数のアンテナ７ａ，７ｂ，７ｃと、複数の無線装置９ａ，９ｂ，９ｃと、を備えている。
【００２２】
終端装置３は、ＧＣ局１００の各無線機制御装置１２０と光回線を介して接続されている。終端装置３は、光信号から電気信号への変換、及び、電気信号から光信号への変換を行う。また、終端装置３は、光信号の多重化処理、及び、多重化された光信号の分離処理等を行う。図４に示されるように、終端装置３は、各無線装置９ａ〜９ｃに電気的に接続されている。終端装置３は、無線機制御装置１２０から送信された光信号を電気信号に変換して無線装置９ａ〜９ｃに出力すると共に、無線装置９ａ〜９ｃから出力された電気信号を光信号に変換して光回線を介して無線機制御装置１２０に送信する。
【００２３】
電源５は、終端装置３及び無線装置９ａ〜９ｃに電力を供給する。図４に示されるように、電源５は、終端装置３及び無線装置９ａ〜９ｃのそれぞれに電気的に接続されている。
【００２４】
アンテナ７ａ〜７ｃは、移動通信端末からの電波の受信、及び、移動通信端末に電波を送信する。アンテナ７ａ〜７ｃのそれぞれは、複数のアンテナモジュールを含んで構成されている。アンテナモジュールは、例えば、８×８ＭＩＭＯ（multiple-input and multiple-output）用基地局アンテナを構成している。すなわち、アンテナ７ａ〜７ｃのそれぞれに８個のアンテナモジュールが設けられている。アンテナ７ａ〜７ｃは、無線装置９ａ〜９ｃから出力された信号に係る電波を移動通信端末に送信すると共に、移動通信端末から受信した電波に係る信号を無線装置９ａ〜９ｃに出力する。
【００２５】
無線装置９ａ〜９ｃは、アンテナ７ａ〜７ｃにより送受信される電波に基づく通信処理を行う。無線装置９ａ〜９ｃは、通信事業者毎に設けられている。本実施形態では、無線装置９ａ〜９ｃは、３台設けられている。すなわち、無線基地局には、３社の通信事業者に対応した無線装置が設けられている。より詳細には、例えば、無線装置９ａは、Ａ社用に設定されており、無線装置９ｂは、Ｂ社用に設定されており、無線装置９ｃは、Ｃ社用に設定されている。なお、無線装置が３台設けられている場合において、通信事業者が２社であってもよい。この場合、例えば、１台の無線装置を一の通信事業者が使用し、２台の無線装置を他の通信事業者が使用する。
【００２６】
無線装置９ａ〜９ｃのそれぞれは、移動通信端末と通信を行うために必要な構成（例えば、受信部、送信部、通信制御部等）を備えている。無線装置９ａ〜９ｃは、公知の装置を用いることができ、詳細な構成の説明は省略する。
【００２７】
無線装置９ａ〜９ｃのそれぞれは、例えば、３．５ＧＨｚ帯の周波数において通信を行う。無線装置９ａ〜９ｃは、例えば、ＴＤＤ（Time Division Duplex）方式のＬＴＥ（Long Term Evolution）−Ａｄｖａｎｃｅｄによる通信が可能とされている。無線装置９ａ〜９ｃのそれぞれは、通信事業者毎に、使用する周波数帯域が異なっている。具体的には、通信事業者には、３．５ＧＨｚ帯において、例えば、４０ＭＨｚ幅ずつ割り当てられている。無線装置９ａ〜９ｃは、通信事業者毎に、４０ＭＨｚ幅のそれぞれの帯域において通信処理を行うように設定されている。無線装置９ａ〜９ｃのそれぞれは、終端装置３から出力される電気信号、及び、アンテナ７ａ〜７ｃから出力される電波に係る信号に基づいて、通信処理を行う。
【００２８】
本実施形態では、終端装置３、電源５及び無線装置９ａ〜９ｃは、看板５０が取り付けられている建物Ｂに設置されている。
【００２９】
本実施形態では、アンテナ７ａ〜７ｃは、図２及び図４に示されるように、看板５０に取り付けられている。ここで言う看板とは、広告看板、電子看板、道路標識、表示板等の、文字、図、画像、動画等を表示する物体のことを意味する。看板５０は、フレーム体５２と、フレーム体５２に取り付けられる看板面部５４と、発光装置５６と、を備えている。フレーム体５２は、例えば、略矩形状を呈している。フレーム体５２の内部には、空間が形成されている。看板面部５４は、フレーム体５２の空間を覆うように取り付けられている。看板面部５４は、例えば、樹脂により形成されており、光透過性を有している。発光装置５６は、例えば、ＬＥＤ（Light Emitting Diode）を備えて構成されている。発光装置５６は、例えば、フレーム体５２の上下方向に沿った内側面に設けられている。看板５０は、取付部材６０，６１により、建物Ｂに取り付けられている。
【００３０】
アンテナ７ａ〜７ｃは、フレーム体５２内に設けられた支持部材５８，５９に取り付けられている。支持部材５８，５９は、フレーム体５２の対向する一対の内側面に亘って架け渡されている。支持部材５８及び支持部材５９は、上下方向において所定の間隔をあけて配置されている。本実施形態では、アンテナ７ａ及びアンテナ７ｂは、支持部材５８に取り付けられている。アンテナ７ｃは、支持部材５９に取り付けられている。なお、発光装置からのノイズがアンテナ７ａ〜７ｃにおいて送受信される電波に干渉する可能性がある。そのため、発光装置を備える場合には、発光装置からのノイズ干渉を抑制するシールド部材等を設けることが好ましい。
【００３１】
上記構成を有する無線基地局構造１は、例えば、看板５０が設けられた建物Ｂに予め設置され、通信事業者からの要請により、無線装置９ａ〜９ｃの設定が行われる。また、無線装置９ａ〜９ｃ（アンテナ７ａ〜７ｃ）を通信事業者が提供する場合には、その無線装置９ａ〜９ｃ（アンテナ７ａ〜７ｃ）を建物Ｂに設置する。この場合、終端装置３及び電源５が備えられているため、終端装置３及び電源５と無線装置９ａ〜９ｃ（アンテナ７ａ〜７ｃ）との接続作業により、無線基地局構造１を構成できる。もちろん、無線基地局構造１は、看板５０も含めた提供も可能である。
【００３２】
以上説明したように、本実施形態に係る無線基地局構造１では、アンテナ７ａ〜７ｃが看板５０に取り付けてられている。看板５０は、駅前や繁華街等、ユーザが集中する場所に設けられている場合が多い。したがって、基地局を設置するための設備（塔）等を設ける場合に比べて、省スペース化及び低コスト化を図れる。また、無線基地局構造１では、複数の異なる通信事業者毎に、無線装置９ａ〜９ｃが設定されている。すなわち、使用する周波数帯の異なる通信事業者毎に、各周波数帯域に対応して無線装置９ａ〜９ｃがそれぞれ設定されている。これにより、複数の通信事業者に対応することができる。このように、無線基地局構造１では、１つの無線基地局構造を複数の通信事業者でシェアする構成のため、通信事業者毎に無線基地局を設置する場合に比べてコストの低減を図ることができる。
【００３３】
本実施形態では、アンテナ７ａ〜７ｃは複数設けられており、複数の無線装置９ａ〜９ｃのそれぞれに各アンテナ７ａ〜７ｃが接続されていてもよい。この構成によれば、通信事業者毎にアンテナ７ａ〜７ｃを使用できるため、より良好な通信が可能となる。
【００３４】
本実施形態では、アンテナ７ａ〜７ｃは、看板５０の内部に配置されている。この構成では、看板５０の本来の広告機能及び看板５０の意匠性を損なうことなく、アンテナ７ａ〜７ｃを取り付けることができる。また、アンテナ７ａ〜７ｃを看板５０の内部に配置することにより、アンテナ７ａ〜７ｃの劣化を抑制できる。
【００３５】
本発明は、上記実施形態に限定されない。上記実施形態では、看板５０にアンテナ７ａ〜７ｃが取り付けられる形態を一例に説明したが、看板５０には、アンテナ７ａ〜７ｃの他に、終端装置３、電源５、及び無線装置９ａ〜９ｃが取り付けられてもよい。この構成では、各部を接続する配線の取り回し等が容易になる。また、建物Ｂにおいて無線装置９ａ〜９ｃ等を設置するスペースを確保しなくてもよい。したがって、無線基地局構造１の設置をより簡易にできる。
【００３６】
上記実施形態では、看板５０の内部に設けられた支持部材５８，５９にアンテナ７ａ〜７ｃが取り付けられる形態を一例に説明したが、看板５０の内部において、アンテナ７ａ〜７ｃを取り付ける位置はこれに限定されない。
【００３７】
上記実施形態では、アンテナ７ａ〜７ｃが取り付けられる看板５０が建物Ｂの側壁から張り出す形態を一例に説明したが、看板５０の形態はこれに限定されない。例えば、看板は、例えばコンビニエンスストアに設置されているように、建物の壁面に沿って設けられる形態であってもよい。或いは、看板は、当該看板が独立して存在する形態であってもよい。広告機能等を有する看板であれば、如何なる形態であっても適用可能である。特に、照明等の電気機器を備える看板には、電源が確保されているため、無線基地局構造１の設置のために電源を準備する必要がない。したがって、無線基地局構造１をより簡易に設置できる。
【００３８】
上記実施形態では、看板５０の看板面部５４が光透過性を有する樹脂等で形成されており、アンテナ７ａ〜７ｃを看板５０の内部に配置する形態を一例に説明した。しかしながら、アンテナ７ａ〜７ｃを取り付ける位置は、看板５０の内部に限定されない。
【００３９】
例えば、図５（ａ）に示されるように、アンテナ７ａ〜７ｃは、看板５０の取付部材６０，６１に配置されてもよい。具体的には、例えば、アンテナ７ａ，７ｂは、取付部材６０に配置されており、アンテナ７ｃは、取付部材６１に配置されている。
【００４０】
また、図５（ｂ）に示されるように、アンテナ７ａ〜７ｃは、看板５０の縁部に配置されてもよい。具体的には、例えば、アンテナ７ａ〜７ｃは、看板５０の看板面部５４上に配置されている。より詳細には、アンテナ７ａは、看板５０の上部に配置されアンテナ７ｂは、看板５０の側部に配置され、アンテナ７ｃは、看板５０の下部に配置されている。図５（ａ）及び図５（ｂ）に示される構成は、看板面部５４が光透過性を有しない場合（看板面部５４が例えば金属製であり、内部に発光装置が設けられない場合）において特に有効である。看板５０におけるアンテナ７ａ〜７ｃの取り付け位置は、看板の本来の機能（広告機能）を損なわれない位置であれば特に限定されない。
【００４１】
図６に示されるように、アンテナ８０は、看板７０に配置されていてもよい。看板７０は、例えば、店舗等の側面に配置される。看板７０は、フレーム体（筐体）７１と、フレーム体７１に取り付けられる看板面部（図示しない）と、発光装置７２と、を備えている。看板面部は、フレーム体７１の空間を覆うように取り付けられている。看板面部は、例えば、樹脂により形成されており、光透過性を有している。
【００４２】
フレーム体７１は、箱状を呈している。フレーム体７１は、店舗等の側面に取り付けられる本体部７１ａと、第１〜第４側部７１ｂ，７１ｃ，７１ｄ，７１ｅと、を有している。本体部７１ａ及び第１〜第４側部７１ｂ〜７１ｅは、板状部材であり、金属で形成されている。本体部７１ａは、矩形状（長方形状）を呈している。第１〜第４側部７１ｂ〜７１ｅそれぞれは、本体部７１ａの各辺に配置され、本体部７１ａに略直角に立設されている。フレーム体７１の本体部７１ａには、発光装置７２が配置されている。発光装置７２は、例えば、蛍光灯、ＬＥＤ等を備えて構成されている。発光装置７２は、フレーム体７１内に１個配置されていてもよいし、複数配置されていてもよい。図６に示す例では、複数（ここでは４個）の発光装置７２が配置されている。具体的には、発光装置７２は、左右方向に所定の間隔をあけて配置されていると共に、上下方向に所定の間隔をあけて配置されている。
【００４３】
アンテナ８０は、アンテナモジュール８０ａと、アンテナモジュール８０ｂと、により構成されている。アンテナ８０は、フレーム体７１内に配置されている。アンテナ８０は、看板７０における発光面側から見て、発光装置７２と重ならない位置に配置されている。看板７０における発光面側とは、図６に示されるように、看板７０が店舗等の側面に配置される場合には、看板７０の正面側である。つまり、看板７０における発光面は、発光面部である。
【００４４】
具体的には、アンテナ８０のアンテナモジュール８０ａ，８０ｂは、フレーム体７１の左右方向の両端部に配置されている。アンテナモジュール８０ａ，８０ｂのそれぞれは、フレーム体７１の第１側部７１ｂ側及び第２側部７１ｃ側において、発光装置７２を挟む位置に配置されている。アンテナモジュール８０ａは、電波の放射方向が図示右側を向くように、配置されている。アンテナモジュール８０ｂは、電波の放射方向が図示左側を向くように、配置されている。つまり、アンテナモジュール８０ａとアンテナモジュール８０ｂとは、電波が交差するように配置されている。
【００４５】
アンテナモジュール８０ａ，８０ｂは、アンテナ素子等を収容するケース（アンテナレドーム）を有する。ケースは、透明な材料で形成されている。アンテナモジュール８０ａ及びアンテナモジュール８０ｂは、分配器８２に接続されている。分配器８２は、無線装置９ａ（９ｂ，９ｃ）に接続されている。分配器８２は、例えば、第４側部７１ｅに配置される。分配器８２は、発光装置７２から照射された光を遮らない位置であれば、配置位置は限定されない。なお、図６では、看板７０内に２つのアンテナモジュール８０ａ，８０ｂが配置される形態を一例に示しているが、看板７０内に配置されるアンテナモジュール（アンテナ）の数は、設計に応じて適宜設定されればよい。
【００４６】
上記構成を有する無線基地局構造では、アンテナモジュール８０ａ及びアンテナモジュール８０ｂが看板７０に取り付けられている。看板７０は、例えば、店舗等の側面に配置されている。したがって、基地局を設置するための設備（塔）等を設ける場合に比べて、省スペース化及び低コスト化を図れる。また、アンテナモジュール８０ａ及びアンテナモジュール８０ｂは、看板７０の左右方向の端部のそれぞれに配置されている。アンテナモジュール８０ａ及びアンテナモジュール８０ｂは、電波の放射方向が看板７０の中央部を向き、電波の放射方向が互いに交差するように配置されている。これにより、看板７０が配置されている店舗等の前方の領域に、ストリートセルを好適に形成することができる。
【００４７】
また、アンテナモジュール８０ａ及びアンテナモジュール８０ｂのケースは、透明な材料で形成されている。これにより、アンテナモジュール８０ａ及びアンテナモジュール８０ｂのケースを光が透過するため、アンテナモジュール８０ａ及びアンテナモジュール８０ｂが発光装置７２から照射された光の遮蔽をより一層抑制できる。なお、ケースは、不透明な材料で形成されてもよい。
【００４８】
また、看板７０のフレーム体７１は、金属で形成されている。これにより、フレーム体７１が電波の反射板として機能する。そのため、アンテナモジュール８０ａ及びアンテナモジュール８０ｂから送信される電波の指向性をより一層高めることができる。
【００４９】
また、図７（ａ）に示されるように、アンテナモジュール８０ａ及びアンテナモジュール８０ｂは、フレーム体７１の左右方向それぞれの端部において第３側部７１ｄ側（フレーム体７１の上部）に配置されていてもよい。また、図７（ｂ）に示されるように、アンテナモジュール８０ａ及びアンテナモジュール８０ｂは、フレーム体７１の左右方向それぞれの端部において第４側部７１ｅ側（フレーム体７１の下部）に配置されていてもよい。また、図８に示されるように、アンテナモジュール８０ａは、フレーム体７１の左右方向の中央で且つ第３側部７１ｄ側に配置され、アンテナモジュール８０ｂは、フレーム体７１の左右方向の中央で且つ第４側部７１ｅ側に配置されてもよい。すなわち、アンテナモジュール８０ａ及びアンテナモジュール８０ｂは、看板７０の上下方向の両端部において、発光装置７２を挟む位置に配置されていてもよい。また、アンテナモジュールは、看板７０の左右方向の両端部、及び、上下方向の両端部に配置されていてもよい。要は、アンテナは、看板７０における発光面側から見て、発光装置７２と重ならない位置に配置されていればよい。
【００５０】
また、図６〜図８では、アンテナモジュール８０ａ及びアンテナモジュール８０ｂのそれぞれの電波の放射方向が、看板７０の中央部を向くように配置されている形態を一例に説明した。しかし、図９に示されるように、アンテナモジュール８０ａ及びアンテナモジュール８０ｂの電波の放射方向は、互いに反対側を向くように配置されていてもよい。アンテナモジュール８０ａ及びアンテナモジュール８０ｂは、フレーム体７１の中央部に配置されている。詳細には、アンテナモジュール８０ａ及びアンテナモジュール８０ｂは、左右方向に所定の間隔をあけて配置された発光装置７２の間に配置されている。アンテナモジュール８０ａは、電波の放射方向が図示左側を向くように、配置されている。アンテナモジュール８０ｂは、電波の放射方向が図示右側を向くように、配置されている。図９に示されるアンテナモジュール８０ａ及びアンテナモジュール８０ｂにおいても、看板７０が配置されている店舗等の前方の領域に、ストリートセルを好適に形成することができる。
【００５１】
上記実施形態では、図４に示されるように、アンテナ７ａ〜７ｃが矩形状（正方形状）を呈する形態を一例に説明した。しかし、アンテナ７ａ〜７ｃの形状は、看板５０の構成に応じて適宜設定されればよく、看板５０の取り付け位置に適用するものであればよい。
【００５２】
上記実施形態では、アンテナ７ａ〜７ｃが無線装置９ａ〜９ｃの数に応じて３個設けられている形態を一例に説明したが、アンテナは、少なくとも１個設けられていればよい。例えば、アンテナの数に対して無線装置の数が多い場合、無線装置とアンテナとの間に、アンテナを共用で使用可能とするための共用器が設けられていればよい。アンテナが共用の場合には、アンテナを配置するためのスペースが小さくてもよい。したがって、種々の態様（形状）の看板に適用することが可能となる。
【００５３】
上記実施形態では、アンテナ７ａ〜７ｃのそれぞれに８×８ＭＩＭＯのアンテナモジュールが実装されている形態を一例に説明したが、アンテナ７ａ〜７ｃの構成はこれに限定されない。
【００５４】
上記実施形態では、無線装置９ａ〜９ｃのそれぞれが３．５ＧＨｚ帯の周波数において通信を行う形態を一例に説明したが、無線装置９ａ〜９ｃは、他の無線方式、他の周波数帯にも対応可能である。
【００５５】
上記実施形態では、無線機制御装置１２０がＧＣ局１００に設けられている形態を一例に説明したが、無線機制御装置１２０は、ＧＣ局１００以外に設けられていてもよい。
【００５６】
無線装置９ａ〜９ｃにおいて実施される通信処理は、無線ＬＡＮにも適用可能である。
【００５７】
無線基地局構造１の使用形態の１つとして、複数の無線装置を１つの通信事業者が使用することも可能である。
【符号の説明】
【００５８】
１…無線基地局構造、３…終端装置、５…電源、７ａ〜７ｃ…アンテナ、９ａ〜９ｃ…無線装置。
【図１】
0006687454.tif 000002
【図２】
0006687454.tif 000003
【図３】
0006687454.tif 000004
【図４】
0006687454.tif 000005
【図５】
0006687454.tif 000006
【図６】
0006687454.tif 000007
【図７】
0006687454.tif 000008
【図８】
0006687454.tif 000009
【図９】
0006687454.tif 000010